(57)【要約】【課題】バッテリーパックと充電器のメーカーが異なっていても共用可能にする充電接続アダプターを提供する。【解決手段】コードレス電動工具２０，４０に使用される第１のバッテリーパック２２と第２のバッテリーパック４２との両方を充電器１０で接続するための充電接続アダプター６０であって、充電接続アダプター６０の本体６２に第１のターミナル部３０が収納されるアダプター側収納凹部６４と、充電接続アダプター６０の本体６２から突出したアダプター側ターミナル部６８とを有し、この充電接続アダプター６０のアダプター側ターミナル部６８を充電器１０の充電器側収納凹部１６に収納する。【選択図】      図１
2004289897.tif 000002
【特許請求の範囲】
【請求項１】
コードレス電動工具に使用される第１のバッテリーパックと、この第１のバッテリーパックとは異なる第２のバッテリーパックを充電するための充電器とを電気的に接続して、前記充電器で第１のバッテリーパックへ充電を行えるようにする充電接続アダプターであって、
前記第１のバッテリーパックは、第１のターミナル部と、この第１のターミナル部に設けられた充電を行うための第１の送り端子とを有し、
前記第２のバッテリーパックは、前記第１のターミナル部とは形状、または、大きさの異なる第２のターミナル部と、この第２のターミナル部に設けられた充電を行うための第２の送り端子とを有し、
前記充電器は、前記第２のターミナル部が収納される充電器側収納凹部と、前記充電器側収納凹部の内部に前記第２の送り端子と電気的に接続する充電器側受け端子とを有し、
前記充電接続アダプターは、前記第１のバッテリーパックの第１のターミナル部が収納されるアダプター側収納凹部と、前記アダプター側収納凹部の内部に前記第１の送り端子と電気的に接続するアダプター側受け端子とを有し、また、前記第２のターミナル部と同じ形状で同じ大きさのアダプター側ターミナル部と、このアダプター側ターミナル部に設けられた前記第２の送り端子と同じ位置で同じ大きさのアダプター側送り端子を有し、さらに、前記アダプター側受け端子と前記アダプター側送り端子とが電気的に接続されている
ことを特徴とする充電接続アダプター。
【請求項２】
前記充電器の前記充電器側収納凹部は上方に開口部を有し、この開口部へ前記第２のターミナル部、または、前記アダプター側ターミナル部が挿入され、
前記充電接続アダプターの前記アダプター側収納凹部は上方に開口部を有し、この開口部へ前記第１のターミナル部が挿入される
ことを特徴とする請求項１記載の充電接続アダプター。
【請求項３】
前記充電器の前記充電器側収納凹部は上方と側方に開口部を有し、この側方の開口部から前記第２のターミナル部、または、前記アダプター側ターミナル部が挿入され、
前記充電接続アダプターの前記アダプター側収納凹部は上方と側方に開口部を有し、この側方の開口部から前記第１のターミナル部が挿入される
ことを特徴とする請求項１記載の充電接続アダプター。
【請求項４】
前記充電器の前記充電器側収納凹部は上方に開口部を有し、この開口部から前記第２のターミナル部、または、前記アダプター側ターミナル部が挿入され、
前記充電接続アダプターの前記アダプター側収納凹部は上方と側方に開口部を有し、この側方の開口部から前記第１のターミナル部が挿入される
ことを特徴とする請求項１記載の充電接続アダプター。
【請求項５】
前記充電器の前記充電器側収納凹部は上方と側方に開口部を有し、この側方の開口部から前記第２のターミナル部、または、前記アダプター側ターミナル部が挿入され、
前記充電接続アダプターの前記アダプター側収納凹部は上方に開口部を有し、この開口部から前記第１のターミナル部が挿入される
ことを特徴とする請求項１記載の充電接続アダプター。
【発明の詳細な説明】
【０００１】
【発明の属する技術分野】
本発明は、コードレス電動工具のバッテリーを充電するための充電器に使用される充電接続アダプターに関するものである。
【０００２】
【従来の技術】
最近は、図１１に示すように、コードレス電動工具４００が普及し、これを駆動するために、二次電池を内蔵したバッテリーパック４０２が用いられている（特許文献１）。
【０００３】
このバッテリーパック４０２を充電するためには、図１２に示すように１００Ｖの商用電源から充電器４０４の収納凹部４０６にバッテリーパック４０２のターミナル部４０８を挿入して行う（特許文献２）。
【０００４】
【特許文献１】
特願２００１−１４３６７８
【０００５】
【特許文献２】
特開平９−１５４２３７号公報
【０００６】
【発明が解決しようとする課題】
上記のようなコードレス電動工具においては、バッテリーパックは各メーカーまたは各コードレス電動工具において、それぞれ専用のものが使用され、例えば、Ａ社のバッテリーパックをＢ社のコードレス電動工具における充電器で充電して使用することはできない。
【０００７】
ユーザが用途別にメーカー違いのモデルを購入したときには、コードレス電動工具本体、バッテリーパック、充電器のフルセットを備えなければならない、そのため、不経済であり、作業現場でバッテリー切れが発生した場合に専用の充電器で充電しなければならないという問題点がある。
【０００８】
そこで、本発明は上記問題点に鑑み、バッテリーパックと充電器のメーカーが異なっていても共用可能にする充電接続アダプターを提供するものである。
【０００９】
【課題を解決するための手段】
請求項１の発明は、コードレス電動工具に使用される第１のバッテリーパックと、この第１のバッテリーパックとは異なる第２のバッテリーパックを充電するための充電器とを電気的に接続して、前記充電器で第１のバッテリーパックへ充電を行えるようにする充電接続アダプターであって、前記第１のバッテリーパックは、第１のターミナル部と、この第１のターミナル部に設けられた充電を行うための第１の送り端子とを有し、前記第２のバッテリーパックは、前記第１のターミナル部とは形状、または、大きさの異なる第２のターミナル部と、この第２のターミナル部に設けられた充電を行うための第２の送り端子とを有し、前記充電器は、前記第２のターミナル部が収納される充電器側収納凹部と、前記充電器側収納凹部の内部に前記第２の送り端子と電気的に接続する充電器側受け端子とを有し、前記充電接続アダプターは、前記第１のバッテリーパックの第１のターミナル部が収納されるアダプター側収納凹部と、前記アダプター側収納凹部の内部に前記第１の送り端子と電気的に接続するアダプター側受け端子とを有し、また、前記第２のターミナル部と同じ形状で同じ大きさのアダプター側ターミナル部と、このアダプター側ターミナル部に設けられた前記第２の送り端子と同じ位置で同じ大きさのアダプター側送り端子を有し、さらに、前記アダプター側受け端子と前記アダプター側送り端子とが電気的に接続されていることを特徴とする充電接続アダプターである。
【００１０】
請求項２の発明は、前記充電器の前記充電器側収納凹部は上方に開口部を有し、この開口部へ前記第２のターミナル部、または、前記アダプター側ターミナル部が挿入され、前記充電接続アダプターの前記アダプター側収納凹部は上方に開口部を有し、この開口部へ前記第１のターミナル部が挿入されることを特徴とする請求項１記載の充電接続アダプターである。
【００１１】
請求項３の発明は、前記充電器の前記充電器側収納凹部は上方と側方に開口部を有し、この側方の開口部から前記第２のターミナル部、または、前記アダプター側ターミナル部が挿入され、前記充電接続アダプターの前記アダプター側収納凹部は上方と側方に開口部を有し、この側方の開口部から前記第１のターミナル部が挿入されることを特徴とする請求項１記載の充電接続アダプターである。
【００１２】
請求項４の発明は、前記充電器の前記充電器側収納凹部は上方に開口部を有し、この開口部から前記第２のターミナル部、または、前記アダプター側ターミナル部が挿入され、前記充電接続アダプターの前記アダプター側収納凹部は上方と側方に開口部を有し、この側方の開口部から前記第１のターミナル部が挿入されることを特徴とする請求項１記載の充電接続アダプターである。
【００１３】
請求項５の発明は、前記充電器の前記充電器側収納凹部は上方と側方に開口部を有し、この側方の開口部から前記第２のターミナル部、または、前記アダプター側ターミナル部が挿入され、前記充電接続アダプターの前記アダプター側収納凹部は上方に開口部を有し、この開口部から前記第１のターミナル部が挿入されることを特徴とする請求項１記載の充電接続アダプターである。
【００１４】
【作  用】
本発明の充電接続アダプターの使用状態について説明する。
【００１５】
まず、充電器で第２のバッテリーパックを充電する場合には、第２のバッテリーパックの第２のターミナル部を充電器の充電器側収納凹部に直接収納する。これによって、第２のバッテリーパックの第２の送り端子と、充電器における充電器側受け端子とが接続されて、第２のバッテリーパックに充電を行うことができる。
【００１６】
次に、第１のバッテリーパックを充電器によって充電する場合には、充電器の充電器側収納凹部に、充電接続アダプターのアダプター側ターミナル部を収納し、充電器の充電器側受け端子と充電接続アダプターのアダプター側送り端子を電気的に接続させる。そして、第１のバッテリーパックの第１のターミナル部を充電接続アダプターのアダプター側収納凹部に収納し、第１のバッテリーパックの第１の送り端子と充電接続アダプターのアダプター側受け端子とを電気的に接続させる。これによって、第１のバッテリーパックを充電器にによって充電させることができる。
【００１７】
【発明の実施の形態】
（第１の実施形態）
以下、本発明の第１の実施形態を図１から図５に基づいて説明する。
【００１８】
（１）コードレス電動工具２０，４０の構造
まず、図２及び図３に基づいて二つの種類のコードレス電動工具（以下、単に工具という）２０，４０の構造について説明する。
【００１９】
図２は、第１の工具２０の図面であって、図２（ａ）は第１の工具２０の側面図であり、図２（ｂ）は第１の工具２０に用いられている二次電池を内蔵した第１のバッテリーパック２２の斜視図である。
【００２０】
図２（ａ）に示すように、第１の工具２０は、円柱状の本体２４から把持部２６が突出したピストル型となっており、把持部２６の下端に第１のバッテリーパック２２が着脱自在に設けられている。
【００２１】
この第１のバッテリーパック２２は、図２（ｂ）に示すように、第１のバッテリーパック２２の本体２８から第１のターミナル部３０が突出している。この第１のターミナル部３０には、その先端部に第１の送り端子３２が設けられている。第１の工具２０に第１のバッテリーパック２２を装着する場合には、把持部２６に第１のターミナル部３０が収納される凹部が設けられ、この凹部に第１のターミナル部３０を差し込み第１の送り端子３２が本体２８内部に設けられているモータに電気的に接続されて第１の工具２０が駆動するものである。
【００２２】
この第１のバッテリーパック２２から突出している第１のターミナル部３０の横断面は楕円形に形成されている。
【００２３】
図３は、第２のコードレス電動工具（以下、単に第２の工具という）４０の図面であり、図３（ａ）は第２の工具４０の側面図であり、図３（ｂ）は第２の工具４０の第２のバッテリーパック４２の斜視図である。
【００２４】
第２の工具４０も、ピストル型をなし本体４４から把持部４６が突出し、この把持部４６の下端に二次電池を内蔵した第２のバッテリーパック４２が着脱自在に設けられている。
【００２５】
第２のバッテリーパック４２は、その本体４８から第２のターミナル部（以下、単に第２のターミナル部という）５０が設けられその先端部分に第２の送り端子５２が設けられている。
【００２６】
そして、この第２のターミナル部５０は把持部４６に設けられた凹部に挿入され、第２の工具４０のモータと電気的に接続されて、第２の工具４０が駆動する。
【００２７】
この第２のターミナル部５０の横断面は、第１のターミナル部３０とは異なり長方形となっている。
【００２８】
（２）充電器１０の構造
充電器１０は、第２の工具４０専用の充電器であって、充電器１０の本体１２から商用電源１００Ｖに接続するための電源コード１４が突出している。
【００２９】
この充電器１０の本体１２の上面には、第２のバッテリーパック４２の第２のターミナル部５０が上方から収納可能な四角形状の充電器側収納凹部１６が開口している。この充電器側収納凹部１６の内部には、第２のバッテリーパック４２の第２の送り端子５２と接続される充電器側受け端子１８が設けられている。
【００３０】
（３）充電接続アダプター６０の構造
次に、充電器１０を用いて、第１の工具２０の第１のバッテリーパック２２が充電可能になる充電接続アダプター６０について説明する。
【００３１】
充電接続アダプター６０は、その本体６２に第１のバッテリーパック２２の第１のターミナル部３０が収納可能な楕円形状のアダプター側収納凹部６４が設けられている。このアダプター側収納凹部６４の内部には、第１のバッテリーパック２２の第１の送り端子３２と電気的に接続されるアダプター側受け端子６６が設けられている。
【００３２】
また、充電接続アダプター６０の本体６２からは、第２のバッテリーパック４２の第２のターミナル部５０と同じ大きさで、かつ、同じ形状のアダプター側ターミナル部６８が突出している。このアダプター側ターミナル部６８の先端にはアダプター側送り端子７０が設けられている。
【００３３】
充電接続アダプター６０におけるアダプター側受け端子６６とアダプター側送り端子７０とは、充電接続アダプター６０の内部において電気的に接続されている。
【００３４】
（４）充電器１０の使用状態
（４−１）第２のバッテリーパック４２への充電
まず、充電器１０を用いて第２のバッテリーパック４２を充電する場合について図４に基づいて説明する。
【００３５】
第２の工具４０の把持部４６から外した第２のバッテリーパック４２の第２のターミナル部５０を、充電器１０の充電器側収納凹部１６に上方から挿入する。充電器側収納凹部１６と第２のターミナル部５０の形状は一致しているため、挿入可能であり、挿入すると充電器側受け端子１８と第２の送り端子５２が電気的に接続され、商用電源から供給された電源によって第２のバッテリーパック４２内部にある二次電池が充電される。
【００３６】
（４−２）第１のバッテリーパック２２への充電
次に、充電器１０を用いて第１のバッテリーパック２２を充電する場合について図１、５に基づいて説明する。
【００３７】
まず充電接続アダプター６０のアダプター側ターミナル部６８を充電器１０の充電器側収納凹部１６に上方から挿入する。この場合に、充電器側収納凹部１６とアダプター側ターミナル部６８の形状と大きさが一致しているため挿入することができる。そして、充電接続アダプター６０のアダプター側送り端子７０と充電器１０の充電器側受け端子１８とが電気的に接続される。
【００３８】
次に、第１の工具２０の把持部２６から取り外した第１のバッテリーパック２２の第１のターミナル部３０を、充電接続アダプター６０のアダプター側収納凹部６４に挿入する。この場合にアダプター側収納凹部６４と第１のターミナル部３０の形状と大きさは一致しているため挿入することができる。挿入すると第１のバッテリーパック２２の第１の送り端子３２と充電接続アダプター６０のアダプター側受け端子６６とが電気的に接続される。そして、充電接続アダプター６０の内部でアダプター側受け端子６６とアダプター側送り端子７０が電気的に接続されていることにより、第１のバッテリーパック２２の第１の送り端子３２と充電器１０の充電器側受け端子１８とが電気的に接続される。
【００３９】
これによって、商用電源を介して充電器１０が第１のバッテリーパック２２内部にある二次電池を充電することができる。
【００４０】
（５）実施形態の効果
以上により、一つの充電器１０を用いて、二つの種類のバッテリーパック２２，４２を充電することができ、この場合に、充電接続アダプター６０を充電器１０の充電器側収納凹部１６に挿入するだけであるためその作業が非常に簡単である。
【００４１】
したがって、従来のようにコードレス電動工具、バッテリーパック、充電器のフルセットを用いて作業を行う必要がなく、一つの充電器で異なるコードレス電動工具を使用することができる。
【００４２】
（第２の実施形態）
以下、本発明の第２の実施形態を図６から図８に基づいて説明する。
【００４３】
（１）コードレス電動工具２０の構造
まず、図６に基づいて第２の実施形態の第１のコードレス電動工具（以下、単に第１の工具という）１２０の構造について説明する。
【００４４】
図６に示すように、第１の工具１２０は、円柱状の本体１２４から把持部１２６が突出したピストル型となっており、把持部１２６の下端に第１のバッテリーパック１２２が、後方からスライド式で着脱自在に設けられている。なお、ストッパー１２３により把持部１２６に固定される。
【００４５】
この第１のバッテリーパック１２２は、第１のバッテリーパック１２２の本体２８に第１のターミナル部１３０を有している。この第１のターミナル部１３０には、その前端部に第１の送り端子１３２が設けられている。
【００４６】
また、図示はしないが第１の工具１２０と同じ構造の第２の工具があり、この第２の工具の把持部にもスライド式に着脱自在な第２のバッテリーパック４２が設けられている。この第２のバッテリーパック１４２は、第１のバッテリーパック１２２と大きさと形状が異なる（図７参照）。そして、第２のバッテリーパック１４２の本体１４８に第２のターミナル部１５０を有している。この第２のターミナル部１５０には、その前端部に第２の送り端子１５２が設けられている。
【００４７】
（２）充電器１１０の構造
図７に示すように、充電器１１０は、第２の工具専用の充電器であって、充電器１１０の本体１１２から商用電源１００Ｖに接続するための電源コード１１４が突出している。
【００４８】
この充電器１１０の本体１１２の上面には、第２のバッテリーパック１４２の第２のターミナル部１５０が、側方からスライド式に収納可能な四角形状の充電器側収納凹部１１６が開口している。この充電器側収納凹部１１６は、上方と側方が開口し、また、その内部には、第２のバッテリーパック１４２の第２の送り端子５２と接続される充電器側受け端子１１８が設けられている。なお、スライド式のために第２のターミナル部１５０には溝があり、この溝に対応する突条が充電器側収納凹部１１６にある。
【００４９】
（３）充電接続アダプター６０の構造
次に、充電器１１０を用いて、第１の工具１２０の第１のバッテリーパック１２２が充電可能になる充電接続アダプター１６０について説明する。
【００５０】
充電接続アダプター１６０は、その本体１６２に第１のバッテリーパック１２２の第１のターミナル部１３０が収納可能な側方からアダプター側収納凹部１６４が設けられている。このアダプター側収納凹部１６４は、上方と側方が開口し、また、その内部には、第１のバッテリーパック１２２の第１の送り端子１３２と電気的に接続されるアダプター側受け端子１６６が設けられている。なお、スライド式のために第１のターミナル部１３０には溝があり、この溝に対応する突条がアダプター側収納凹部１６４にある。
【００５１】
また、充電接続アダプター１６０の本体１６２からは、第２のバッテリーパック１４２の第２のターミナル部１５０と同じ大きさで、かつ、同じ形状のアダプター側ターミナル部１６８が突出している。このアダプター側ターミナル部１６８の先端にはアダプター側送り端子１７０が設けられている。
【００５２】
充電接続アダプター１６０におけるアダプター側受け端子１６６とアダプター側送り端子１７０とは、充電接続アダプター１６０の内部において電気的に接続されている。
【００５３】
（４）充電器１１０の使用状態
（４−１）第２のバッテリーパック１４２への充電
まず、充電器１１０を用いて第２のバッテリーパック１４２を充電する場合について図７に基づいて説明する。
【００５４】
第２の工具の把持部から外した第２のバッテリーパック１４２の第２のターミナル部１５０を、充電器１１０の充電器側収納凹部１１６に側方から挿入する。充電器側収納凹部１１６と第２のターミナル部１５０の形状は一致しているため、挿入可能であり、挿入すると充電器側受け端子１１８と第２の送り端子１５２が電気的に接続され、商用電源から供給された電源によって第２のバッテリーパック１４２内部にある二次電池が充電される。
【００５５】
（４−２）第１のバッテリーパック１２２への充電
次に、充電器１１０を用いて第１のバッテリーパック１２２を充電する場合について図７、８に基づいて説明する。
【００５６】
まず充電接続アダプター１６０のアダプター側ターミナル部１６８を充電器１１０の充電器側収納凹部１１６に側方から挿入する。この場合に、充電器側収納凹部１１６とアダプター側ターミナル部１６８の形状と大きさが一致しているため挿入することができる。そして、充電接続アダプター１６０のアダプター側送り端子１７０と充電器１１０の充電器側受け端子１１８とが電気的に接続される。
【００５７】
次に、第１の工具１２０の把持部２６から取り外した第１のバッテリーパック１２２の第１のターミナル部１３０を、充電接続アダプター１６０のアダプター側収納凹部６４に側方からスライド式に挿入する。この場合にアダプター側収納凹部６４と第１のターミナル部３０の形状と大きさは一致しているため挿入することができる。挿入すると第１のバッテリーパック１２２の第１の送り端子１３２と充電接続アダプター１６０のアダプター側受け端子１６６とが電気的に接続される。そして、充電接続アダプター１６０の内部でアダプター側受け端子１６６とアダプター側送り端子１７０が電気的に接続されていることにより、第１のバッテリーパック１２２の第１の送り端子１３２と充電器１１０の充電器側受け端子１１８とが電気的に接続される。
【００５８】
これによって、商用電源を介して充電器１１０が第１のバッテリーパック１２２内部にある二次電池を充電することができる。
【００５９】
（第３の実施形態）
第３の実施形態について、図９に基づいて説明する。
【００６０】
本実施形態では、充電接続アダプター２６０のアダプター側ターミナル部２６８を充電器２１０の充電器側収納凹部２１６に上方から挿入し、また、第１のターミナル部２３０を、充電接続アダプター２６０のアダプター側収納凹部２６４に側方からスライド式に挿入するものである。
【００６１】
（第４の実施形態）
第４の実施形態について、図１０に基づいて説明する。
【００６２】
本実施形態では、充電接続アダプター３６０のアダプター側ターミナル部３６８を充電器３１０の充電器側収納凹部２１６に側方からスライド式に挿入し、また、第１のターミナル部３３０を、充電接続アダプター３６０のアダプター側収納凹部３６４に上方から挿入するものである。
【００６３】
（変更例）
上記第１の実施形態では、第１のターミナル部の横断面の形状が楕円形で、第２のターミナル部の横断面が長方形であったが、この形状や大きさはこれらに限らず、現在発売されている各メーカーに応じた形状にすることができる。
【００６４】
また、充電接続アダプターも、一個だけでなく複数種類持ち歩くことにより、一つの充電器で二種類以上（例えば、三種類や四種類の）のコードレス電動工具を充電させることができる。
【００６５】
【発明の効果】
以上により本発明であると、一つの充電接続アダプターで二種類のコードレス電動工具のバッテリーパックを充電することができるので、ユーザは多数の充電器を持ち歩く必要がなく経済的であり、メーカーの選択肢が拡がる。
【図面の簡単な説明】
【図１】本発明の一実施形態を示す充電器と充電接続アダプターの斜視図である。
【図２】第１の工具の図面であり、（ａ）は第１の工具の側面図であり、（ｂ）は第１のバッテリーパックの斜視図である。
【図３】第２の工具の図面であり、（ａ）は第２の工具の側面図であり、（ｂ）は第２のバッテリーパックの斜視図である。
【図４】充電器で第２のバッテリーパックを充電している状態の側面図である。
【図５】充電器で第１のバッテリーパックを充電している状態の側面図である。
【図６】第２の実施形態の第１の工具の側面図である。
【図７】第２の実施形態を示す充電器と充電接続アダプターと２種類のバッテリーパックの斜視図である。
【図８】第２の実施形態の充電器で第１のバッテリーパックを充電している状態の側面図である。
【図９】第３の実施形態の充電器で第１のバッテリーパックを充電している状態の側面図である。
【図１０】第４の実施形態の充電器で第１のバッテリーパックを充電している状態の側面図である。
【図１１】従来例におけるコードレス電動工具の側面図である。
【図１２】従来技術における充電器とバッテリーパックとの関係を示す図面である。
【符号の説明】
１０  充電器
１２  本体
１４  電源コード
１６  充電器側収納凹部
１８  充電器側受け端子
１２０  第１の工具
１２２  第１のバッテリーパック
３０  第１のターミナル部
１３２  第１の送り端子
４０  第２の工具
１４２  第２のバッテリーパック
５０  第２のターミナル部
５２  第２の送り端子
６０  充電接続アダプター
６２  本体
６４  アダプター側収納凹部
６６  第１の受け端子
６８  アダプター側ターミナル部
７０  アダプター側送り端子
【図１】
2004289897.tif 000003
【図２】
2004289897.tif 000004
【図３】
2004289897.tif 000005
【図４】
2004289897.tif 000006
【図５】
2004289897.tif 000007
【図６】
2004289897.tif 000008
【図７】
2004289897.tif 000009
【図８】
2004289897.tif 000010
【図９】
2004289897.tif 000011
【図１０】
2004289897.tif 000012
【図１１】
2004289897.tif 000013
【図１２】
2004289897.tif 000014